(57)【特許請求の範囲】
【請求項１】
円筒状の接続用受口と円筒状の接続用差込口を備えた合成樹脂製の樋継手であって、接続用受口の内周面及び外周面には先広がり状の小さいテーパーが付けられ、接続用受口の先端部の外周面と接続用受口の中間部の外周面には係止用突起が形成されており、その中間部外周面の係止用突起の上にガイド溝が形成されていることを特徴とする樋継手。
【請求項２】
係止用突起が、接続用受口の先端部外周面の径方向に対向する位置と、接続用受口の中間部外周面の径方向に対向する位置とに、二つずつ形成されていることを特徴とする請求項１に記載の樋継手。
【請求項３】
接続用差込口の先端から割り溝が形成されていることを特徴とする請求項１又は請求項２に記載の樋継手。
【請求項４】
接続用差込口の先端からＶ形の切欠部が形成されていることを特徴とする請求項１又は請求項２に記載の樋継手。
【請求項５】
接続用受口の内周面に内鍔状の段差部が一箇所以上形成され、接続用受口の奥端に近づくほど接続用受口の内径が段階的に縮径されていることを特徴とする請求項１ないし請求項４のいずれかに記載の樋継手。
【発明の詳細な説明】
【技術分野】
【０００１】
本発明は、軒樋の集水器（上合）の落し口と堅樋との接続や、堅樋と呼樋との接続などに使用される樋継手に関する。
【背景技術】
【０００２】
従来より、軒樋の集水器の落し口の周囲に、切欠部を形成した係合リングを取付け、接続筒の上端外周面の突起を下方から係合リングの切欠部に通して接続筒を集水器の落し口に嵌合させながら回転させることにより、突起を係合リングに係止して接続筒を脱落しないように落し口に嵌合接続し、この接続筒に堅樋等を差込み接続できるようしたものが知られている（特許文献１）。
【０００３】
けれども、集水器の落し口に接続される堅樋は、例えば６０φの堅樋でもメーカーにより若干太い堅樋と若干細い堅樋があるため、これまでは堅樋の直径の大小に応じて落し口の直径が大小異なる集水器や接続筒を使い分けなければならないという不便さがあった。
【特許文献１】特開平１１−２９３８６８号公報
【発明の開示】
【発明が解決しようとする課題】
【０００４】
本発明は上記の問題に鑑みてなされたものであって、集水器の落し口の直径が若干大きくても小さくても、また、堅樋や呼樋が若干太くても細くても、確実に接続できる便利な樋継手を提供することを解決課題としている。
【課題を解決するための手段】
【０００５】
上記課題を解決するため、本発明の樋継手は、円筒状の接続用受口と円筒状の接続用差込口を備えた合成樹脂製の樋継手であって、接続用受口の内周面及び外周面には先広がり状の小さいテーパーが付けられ、接続用受口の先端部の外周面と接続用受口の中間部の外周面には係止用突起が形成されており、その中間部外周面の係止用突起の上にガイド溝が形成されていることを特徴とするものである。
【０００６】
本発明の樋継手においては、係止用突起が、接続用受口の先端部外周面の径方向に対向する位置と、接続用受口の中間部外周面の径方向に対向する位置とに、二つずつ形成されていることが好ましく、また、接続用差込口の先端から割り溝やＶ形の切欠部が形成されていることが好ましい。そして、接続用受口の内周面に内鍔状の段差部が一箇所以上形成され、接続用受口の奥端に近づくほど接続用受口の内径が段階的に縮径されていることも好ましい。
【発明の効果】
【０００７】
本発明の樋継手は、後で詳しく説明するように、その接続用受口を集水器の落し口に外嵌すると共に、接続用受口を９０°前後回して、落し口の周囲の支持部に係止用突起を係止させ、接続用差込口を堅樋に差込むことによって、集水器の落し口と堅樋を接続するものである。その場合、集水器の落し口が細い堅樋に対応する小径の落し口であれば、テーパーが付いた接続用受口の中間部外周面の係止用突起より先端側の部分を切除して開口径の小さい接続用受口となし、これを小径の落し口に外嵌して上記の要領で接続することができ、また、集水器の落し口が太い堅樋に対応する大径の落し口であれば、接続用受口を切除しないで開口径の大きい接続用受口のまま落し口に外嵌して上記の要領で接続することができる。
【０００８】
係止用突起は、接続用受口の先端部外周面と中間部外周面とに一つずつ形成してもよいが、上記のように、接続用受口の先端部外周面の径方向に対向する位置と中間部外周面の径方向に対向する位置とに二つずつ形成してあると、集水器の落し口の周囲の支持部に対して、片持ち状態ではなく両持ち状態で安定して係止させることができるため、樋継手が傾いたり外れ落ちたりする心配がなくなる。
【０００９】
また、接続用差込口の先端から割り溝やＶ形の切欠部が形成されていると、接続用差込口が縮径可能となるため、細い堅樋や呼樋に対しても接続用差込口を縮径させながら差込み接続することが可能となる。特に、Ｖ形の切欠部が形成されている場合は、堅樋等の端部内面に接着剤を塗布して接続用差込口を差込み接続する際に、Ｖ形の切欠部に接着剤を集めて水密的に接続できる利点がある。
【００１０】
更に、接続用受口の内周面に内鍔状の段差部が一箇所以上形成され、接続用受口の奥端に近づくほど接続用受口の内径が段階的に縮径されていると、段差部のない単なるテーパー内面を有する接続用受口に比べて、よりガタツキなく集水器の落し口に外嵌させて接続することが可能となる。
【発明を実施するための最良の形態】
【００１１】
以下、図面を参照して本発明の具体的な実施形態を詳述する。
【００１２】
図１は本発明の一実施形態に係る樋継手の正面図、図２は同樋継手の右側面図、図３は同樋継手の平面図、図４は図３のＡ−Ａ線断面図、図５は同樋継手の拡大部分断面図、図６は同樋継手の一使用例の説明図、図７は同樋継手を集水器の落し口に接続する前の状態を示す断面図、図８は同樋継手を集水器の落し口に接続した状態を示す断面図、図９は集水器の底面図、図１０は接続用受口の中間部外周面の係止用突起より先端側の部分を切除した樋継手を集水器の落し口に接続する前の状態を示す断面図、図１１は同樋継手を集水器の落し口に接続した状態を示す断面図である。
【００１３】
この樋継手Ｊ１は、集水器の落し口と堅樋を上下方向にまっすぐ接続する直状樋継手であって、ポリカーボネートやポリ塩化ビニルなどの合成樹脂で一体成形されたものである。
【００１４】
図１〜図４に示すように、この樋継手Ｊ１は、円筒状の接続用受口１と円筒状の接続用差込口２を上下に連設したものであって、接続用受口１には先広がり状（上広がり状）の小さいテーパーが付けられている。そして、接続用受口１の先端部外周面の径方向に対向する位置には、後述するように集水器の落し口の周囲の支持部に係止させる大小の係止用突起１ａ，１ｂが形成されており、接続用受口１の中間部外周面の径方向に対向する位置にも、係止用突起１ｃ，１ｄが形成されている。これらの係止用突起１ａ，１ｂ，１ｃ，１ｄの形状は、集水器の落し口の周囲の支持部に外れないように係止できる形状であれば、特に限定されるものではない。
【００１５】
上記の係止用突起は、接続用受口１の先端部外周面と中間部外周面とに一つずつ形成してもよいが、上記のように二つずつ形成してあると、後述するように、集水器の落し口の周囲の支持部に対して片持ち状態ではなく両持ち状態で安定して係止させることができるため、樋継手Ｊ１が傾いたり外れ落ちたりする心配がなくなる利点がある。尚、係止用突起の個数は、三つずつでも、それ以上でもよい。
【００１６】
また、接続用受口１の中間部外周面には、浅くて細い切断用のガイド溝１ｅが中間部外周面の係止用突起１ｃ，１ｄの上端位置に形成されており、このガイド溝１ｅに沿って接続用受口１を容易に切断することができるようになっている。
【００１７】
上記のテーパー付きの接続用受口１は、集水器の落し口の外径の大小を考慮して先端（上端）の内径Ｒと奥端（下端）ｒの内径を定め、これに対応するテーパーを付けるべきであって、例えば、集水器の落し口の外径が６１．０〜５９．７ｍｍの範囲内で大小異なる場合は、接続用受口１の先端（上端）の内径Ｒを６１．３ｍｍ、奥端（下端）の内径ｒを５９．４ｍｍに設定し、これに対応するテーパーを付けることが好ましい。つまり、接続用受口１の先端（上端）の内径Ｒを集水器の最も大きい落し口の外径よりも０．３ｍｍ程度大きく設定し、奥端（下端）の内径ｒを集水器の最も小さい落し口の外径よりも０．３ｍｍ程度小さく設定して、これに対応するテーパーを付けることが好ましいのである。
【００１８】
接続用受口１の内周面は単なるテーパー面でもよいが、図５に拡大して示すように、内鍔状の段差部１ｆが一箇所以上、好ましくは２，３箇所に形成され、接続用受口１の奥端に近づくほど接続用受口１の内径が段階的に縮径されていることが好ましい。このように接続用受口１の内径が段階的に縮径されていると、集水器の落し口の外径が若干大きくても小さくても、段差部のない単なるテーパー内周面を有する接続用受口１に比べて、よりガタツキなく落し口に外嵌接続できる利点がある。
【００１９】
一方、接続用差込口２は、太い方の堅樋の内径に対応した外径を有する円筒状の差込口に形成され、その先端（下端）が傾斜して堅樋への差込み作業が容易に行えるようになっている。そして、この接続用差込口２の先端から左右一対の割り溝２ａ，２ａが形成され、これらの割り溝２ａ，２ａによって接続用差込口２が弾性的に縮径可能となっている。従って、この接続用差込口２より若干細い堅樋に対しても、接続用差込口２を縮径させながら差込み接続できるようになっている。かかる割り溝２ａの数は二つに限定されるものではなく、一つでもよいし、等角度間隔をあけて三つ以上形成してもよい。
【００２０】
以上のような樋継手Ｊ１は、図６に示すように、軒樋３の集水器４の落し口と堅樋５を上下方向にまっすぐ接続する場合に使用される。集水器４は、図７，図９に示すように集水器底面に円筒状の落し口４ａが形成されたもので、落し口３４ａの外側には支持リング４ｂが取付けられており、この支持リング内側の環状の支持部４ｃには、樋継手Ｊ１の係止用突起１ａ，１ｂ，１ｃ，１ｄが通過し得る大きさの一対の切欠部４ｄ，４ｄが相対向して形成されている。
【００２１】
集水器４の落し口４ａと堅樋５との接続は、上記の樋継手Ｊ１を用いて次の要領で行われる。即ち、集水器４の落し口４ａの外径が大きい場合（例えば、前述したように６１．０ｍｍである場合）は、図７に示すように樋継手Ｊ１の接続用受口１を切断しないでそのまま使用し、その接続用受口１の先端外周面の係止用突起１ａ，１ｂを上記支持リング４ｂの一対の切欠部４ｄ，４ｄに下方より挿通しながら、接続用受口１を集水器４の落し口４ａに外嵌し、更に、接続用受口１を９０°前後回して、図８に示すように係止用突起１ａ，１ｂを落し口４ａの周囲の環状の支持部４ｃに係止させることにより、樋継手Ｊ１の接続用受口１を安定した両持ち状態で脱落不能に落し口４ａに外嵌接続する。そして、堅樋５の上端開口に樋継手Ｊ１の接続用差込口２を差込み接続すれば、樋継手Ｊ１を介して集水器４の落し口４ａと堅樋５を上下にまっすぐ接続することができる。接続用差込み口２と堅樋５との差込み接続は、前述したように、接続用差込口２が一対の割り溝２ａ，２ａによって縮径可能であるため、接続用差込口２の外径に対応した内径を有する堅樋５は勿論のこと、これより若干小さい内径を有する堅樋５であっても接続用差込口２を縮径させて接続することができる。
【００２２】
一方、集水器４の落し口４ａの外径が小さい場合（例えば、前述したように５９．７ｍｍである場合）は、前述した切断用のガイド溝１ｅに沿って、図１０に示すように樋継手Ｊ１の接続用受口１の中間部外周面の係止用突起１ｃ，１ｄより先端側の部分を切除して先端開口径の小さい接続用受口とする。そして、上記と同じ要領で接続用受口１を集水器４の外径の小さい落し口４ａに脱落不能に外嵌接続すると共に、接続用差込口２を堅樋５の上端開口に差込み接続すれば、樋継手Ｊ１を介して集水器４の外径が小さい落し口４ａと堅樋５を上下にまっすぐ接続することができる。
【００２３】
上記のように樋継手Ｊ１の接続用受口１を切断しないでそのまま集水器４の外径の大きい落し口４ａに外嵌接続する場合でも、接続用受口１を切断して集水器４の外径の小さい落し口４ａに外嵌接続する場合でも、接続用受口１の内周面に内鍔状の段差部１ｆが形成されて内径が段階的に縮径されていると、落し口４ａと接続用受口１の内周面との隙間が減少するのでガタツキなく外嵌接続することができる。
【００２４】
図１２は本発明の他の実施形態に係る樋継手の正面図、図１３は同樋継手の左側面図である。
【００２５】
この樋継手Ｊ２は、接続用差込口２の先端（下端）を傾斜させないで水平に開口させると共に、この接続用差込口２の先端からＶ形の切欠部２ｂを形成したものである。その他の構成は前記樋継手Ｊ１と同様であるので、図１２、図１３において対応部分に同じ符号を付し、説明を省略する。
【００２６】
このような樋継手Ｊ２は、前述した樋継手Ｊ１の作用効果に加えて、接着剤を端部内面に塗布した堅樋に接続用差込口２を差込み接続する際に、Ｖ形の切欠部２ｂに接着剤が集められて密接的に接続できる利点を有する。
【００２７】
図１４は本発明の他の実施形態に係る樋継手の左側面図、図１５は同樋継手の正面図、図１６は同樋継手の平面図、図１７は同樋継手の一使用例の説明図である。
【００２８】
この樋継手Ｊ３は、集水器の落し口と呼樋との接続や、堅樋と呼樋との接続に使用されるもので、テーパーの付いた接続用受口１の下端に、曲管部６を介して接続用差込口２が斜め方向に一体形成されたエルボ状樋継手であり、この接続用差込口２の先端開口縁の上端にはＶ形の切欠部２ｂが形成されている。接続用受口１に対する接続用差込口２の角度は、６０〜９０°の範囲で適宜設定するのがよい。
【００２９】
このエルボ状樋継手Ｊ３の接続用受口１の構成は、前述した直状樋継手Ｊ１のそれと同様であるので、図１４〜図１７において同一部分に同一符号を付して説明を省略する。
【００３０】
このエルボ状樋継手Ｊ３を用いて集水器の落し口と呼樋を接続する場合、落し口の外径が大きければ接続用受口１を切断しないでそのまま使用し、落し口の外径が小さければ接続用受口１の先端側の部分を切除して使用し、前述の直状樋継手Ｊ１と同じ要領で、接続用受口１を落し口に脱落不能に外嵌接続すると共に、接続用差込口２をそのまま又は縮径させて、対応する太さの呼樋又は若干細い呼樋に差込み接続すればよい。
【００３１】
また、このエルボ状樋継手Ｊ３を用いて堅樋と呼樋を接続する場合は、図１７に示すように接続用受口１を切断しないで堅樋５の下端部に外嵌接続し、接続用差込口２をそのまま又は縮径させて、対応する太さの呼樋７又は若干細い呼樋７に差込み接続すればよい。
【００３２】
以上説明したように、本発明に係る直状又はエルボ状の樋継手Ｊ１，Ｊ２，Ｊ３は、集水器４の落し口４ａの直径が若干大きくても小さくても、また、堅樋５や呼樋７が若干太くても細くても、確実に接続できるといった著効を奏し、極めて有用である。
【図面の簡単な説明】
【００３３】
【図１】本発明の一実施形態に係る樋継手の正面図である。
【図２】同樋継手の右側面図である。
【図３】同樋継手の平面図である。
【図４】図３のＡ−Ａ線断面図である。
【図５】同樋継手の拡大部分断面図である。
【図６】同樋継手の一使用例の説明図である。
【図７】同樋継手を集水器の落し口に接続する前の状態を示す断面図である。
【図８】同樋継手を集水器の落し口に接続した状態を示す断面図である。
【図９】集水器の底面図である。
【図１０】接続用受口の中間部外周面の係止用突起より先端側の部分を切除した樋継手を集水器の落し口に接続する前の状態を示す断面図である。
【図１１】同樋継手を集水器の落し口に接続した状態を示す断面図である。
【図１２】本発明の他の実施形態に係る樋継手の正面図である。
【図１３】同樋継手の左側面図である。
【図１４】本発明の他の実施形態に係る樋継手の左側面図である。
【図１５】同樋継手の正面図である。
【図１６】同樋継手の平面図である。
【図１７】同樋継手の一使用例の説明図である。
【符号の説明】
【００３４】
Ｊ１，Ｊ２  直状の樋継手
Ｊ３  エルボ状の樋継手
１    接続用受口
１ａ，１ｂ，１ｃ，１ｄ  係止用突起
１ｅ  切断用のガイド溝
１ｆ  内鍔状の段差部
２    接続用差込口
２ａ  割り溝
２ｂ  Ｖ形の切欠部
３    軒樋
４    集水器
４ａ  落し口
４ｂ  支持リング
４ｃ  環状の支持部
４ｄ  切欠部
５    堅樋
６    曲管部
７    呼樋
【図１】
0004795769.tif 000002
【図２】
0004795769.tif 000003
【図３】
0004795769.tif 000004
【図４】
0004795769.tif 000005
【図５】
0004795769.tif 000006
【図６】
0004795769.tif 000007
【図７】
0004795769.tif 000008
【図８】
0004795769.tif 000009
【図９】
0004795769.tif 000010
【図１０】
0004795769.tif 000011
【図１１】
0004795769.tif 000012
【図１２】
0004795769.tif 000013
【図１３】
0004795769.tif 000014
【図１４】
0004795769.tif 000015
【図１５】
0004795769.tif 000016
【図１６】
0004795769.tif 000017
【図１７】
0004795769.tif 000018